(57)【要約】【課題】使用者に振動手段による振動を効果的に伝えるとともに製造が容易な操作パネル及び洗濯機を提供する。【解決手段】実施形態の操作パネルは、表面に配置されるパネルカバーと、前記パネルカバーに固定され、前記パネルカバーを振動させる振動手段と、前記振動手段の通電に供する基板と、一端が前記振動手段に接続され、他端に第一接続部を有する第一電線と、前記基板に電気的に接続された第二の接続部と、を備える。さらに、前記第一接続部と前記第二接続部とが接続され、前記第一電線を通じて前記振動手段に通電を行う。【選択図】図６
2016144521.tif 000002
【特許請求の範囲】
【請求項１】
表面に配置されるパネルカバーと、
前記パネルカバーに固定され、前記パネルカバーを振動させる振動手段と、
前記振動手段の通電に供する基板と、
一端が前記振動手段に接続され、他端に第一接続部を有する第一電線と、
前記基板に電気的に接続された第二の接続部と、
を備え、
前記第一接続部と前記第二接続部とが接続され、前記第一電線を通じて前記振動手段に通電を行う操作パネル。
【請求項２】
前記パネルカバーの裏面側に配置され、前記パネルカバーに投光するＬＥＤと、
前記パネルカバーの一部であって、前記ＬＥＤによって照らされることによって、表示が浮かび上がる表示部と、
前記ＬＥＤから発せられた光を前記表示部へ案内する光案内部材と、
前記パネルカバーの裏側の少なくとも一部に配置された電極シートと、
前記電極シートの少なくとも一部に設けられた静電容量検出部と、
前記パネルカバーの一部であって、前記静電容量検出部が背面に配された操作部と、
を備え、
前記静電容量検出部の静電容量変化を通じて、使用者による前記操作部へのタッチを検知する請求項１に記載の操作パネル。
【請求項３】
クッション部材を備え、
前記パネルカバー、前記電極シート、前記クッション部材及び前記光案内部材は、表面側から見てこの順に配置されている請求項２に記載の操作パネル。
【請求項４】
前記電極シートは、前記クッション部材の表側に貼付されている請求項３に記載の操作パネル。
【請求項５】
液晶ディスプレイと、
使用者による操作部へのタッチ操作を検出する静電容量検出部を備えた電極シートと、
前記パネルカバーの振動による騒音を抑制するクッション部材と、
を備え、
前記パネルカバー、前記電極シート、前記クッション部材及び液晶ディスプレイは、表面側から見てこの順に配置されている請求項１に記載の操作パネル。
【請求項６】
請求項１から５のいずれか一項に記載の操作パネルを本体の外面部に備える洗濯機。
【発明の詳細な説明】
【技術分野】
【０００１】
本発明の実施形態は、操作パネル及び洗濯機に関する。
【背景技術】
【０００２】
静電タッチパネルと振動手段を備え、操作感を出すために、使用者の操作に応じて本体を振動させる小型の操作パネルが知られている。しかし、洗濯機の操作パネルのような大型の操作パネルにおいては、単に振動手段を備えるだけでは、使用者に振動を効果的に伝えることができない。
【先行技術文献】
【特許文献】
【０００３】
【特許文献１】特開２０１４−１８０４０７号公報
【発明の概要】
【発明が解決しようとする課題】
【０００４】
本発明が解決しようとする課題は、使用者に振動手段による振動を効果的に伝えるとともに製造が容易な操作パネル及び洗濯機を提供することにある。
【課題を解決するための手段】
【０００５】
上記課題を達成するため、実施形態の操作パネルは、表面に配置されるパネルカバーと、前記パネルカバーに固定され、前記パネルカバーを振動させる振動手段と、前記振動手段の通電に供する基板と、一端が前記振動手段に接続され、他端に第一接続部を有する第一電線と、前記基板に電気的に接続された第二の接続部と、を備える。さらに、前記第一接続部と前記第二接続部とが接続され、前記第一電線を通じて前記振動手段に通電を行う。
【図面の簡単な説明】
【０００６】
【図１】第一の実施形態のドラム式洗濯乾燥機の前面側からの外観斜視図
【図２】第一の実施形態のドラム式洗濯乾燥機の前上板、前下板、上板、横板及び後板を外した状態における前面側からの斜視図
【図３】第一の実施形態の制御系を示す機能ブロック図
【図４】第一の実施形態の操作パネルの分解斜視図
【図５】第一の実施形態の基板、ＬＥＤホルダ、基板ケース、押圧部材、クッション部材及び電極シートが組み合わされた状態の斜視図
【図６】第一の実施形態の操作パネルの縦断側面図
【図７】第一の実施形態の操作パネルの操作部近傍の模式的縦断側面図
【図８】第一の実施形態のドラム式洗濯乾燥機の模式的縦断側面図
【図９】第三の実施形態のドラム式洗濯乾燥機の前面側からの外観斜視図
【図１０】第三の実施形態の操作パネルの縦断側面図
【図１１】第三の実施形態のパネルカバーの模式的断面図
【発明を実施するための形態】
【０００７】
以下、複数の実施形態について図面を参照して説明する。なお、各実施形態において実質的に同一の構成部位には同一の符号を付し、説明を省略する。
【０００８】
（第一の実施形態）
第一の実施形態について、図１から図８を参照しながら説明する。
本実施形態は、ドラム式洗濯乾燥機及びその操作パネルに関する。本実施形態のドラム式洗濯乾燥機は、図１及び図２に示すように外箱１００、水槽３００及び回転槽３０２を備える。
【０００９】
外箱１００は、前面（図１において左手前側、図２において右手前側）上方の前上板１０１、前面下方の前下板１０２、上面前方の操作パネル２００、上面後方の上板１０３、側面の横板１０４、下面の底板１０５、及び、背面の後板からなる。以下、各部の位置関係を説明する際は、特に断りのない限り、外箱１前面側を「手前」、外箱１背面側を「奥」として、方向を表現し、同様に「左」、「右」も、特に断りのない限り外箱１００正面から見た左右を表すものとする。また、「上」、「下」は、鉛直方向に関する上下を表すものとする。
【００１０】
前上板１０１には、やや上向きで円形の開口部１０６（図４参照）が設けられている。また、前上板１０１には、扉１０７が図示しないヒンジを介して設けられており、扉１０７は前記ヒンジを支点に回動して開口部１０６を開閉する。扉１０７は、前上板１０１において開口部１０６の右上の位置に設けられた開ボタン１０８を押すことで開かれ、奥側へ扉１０７を押しこむことで閉じられる。
【００１１】
操作パネル２００は、電源入ボタン２０１及び電源切ボタン２０２を備える。電源入ボタン２０１及び電源切ボタン２０２を押すことにより、それぞれ本体の電源をオン及びオフにすることができる。また、操作パネル２００は、複数の表示部を備えている。前記表示部は、その下方に配設されたＬＥＤ２１４（図４、図６、図７参照）の点灯により使用者に対して種々の表示を行う。さらに、前記表示部のうちの一部は、タッチセンサーの機能を備えており、使用者が手の指でタッチ操作する操作部２３８（図６参照）を兼ねる。操作部２３８下方のＬＥＤ２１４が点灯することによって、その操作部２３８がアクティブ（操作を受け付ける状態）であることが使用者に表示されるのである。操作パネル２００については、後に詳細に説明する。
【００１２】
図２に示す水槽３００は、外箱１００の内部にサスペンション３０４を介して弾性的に支持されて収容されている。水槽３００は有底円筒状に形成されており、水槽３００の開口部３０１は、外箱１００の開口部１０６と同じ向き（手前やや上向き）とされている。
【００１３】
水槽３００上方左側には給水装置３０５が設けられている。給水装置３０５には給水弁３２５が設けられており、給水弁３２５を開放することにより、注水口３３０（図８参照）から水槽３００内に給水が行われる。また、水槽３００の下方には、循環・排水装置３０６が設けられている。循環・排水装置３０６には、循環ポンプ３１０及び排水弁３２６（図３、図８参照）が設けられており、循環ポンプ３１０を駆動することにより水槽３００内の水を循環させ、排水弁３２６を開放することにより水槽３００内の水を排水口３３１（図８参照）を通じて機外に排出する。
【００１４】
回転槽３０２は、水槽３００と同様に有底円筒状に形成されており、水槽３００内に回転可能に収容されている。回転槽３０２の開口部３０３も、外箱１００の開口部１０６及び水槽３００の開口部３０１と同様に手前やや上向きとされている。回転槽３０２は、複数の孔部３２４を有する。孔部３２４は、回転槽３０２の側面と底面に複数形成されている。孔部３２４は、洗濯運転においては、水が回転槽３０２と水槽３００との間で自由に移動するための通水孔として機能し、乾燥運転においては、空気が回転槽３０２と水槽３００との間で自由に移動するための通風孔として機能する。
【００１５】
外箱１００の開口部１０６は、ベローズ１０９（図８参照）によって水槽３００の開口部３０１に接続されており、扉１０７を開放すると、外箱１００の開口部１０６、水槽３００の開口部３０１、及び回転槽３０２の開口部３０３を通じて、回転槽３０２から洗濯物を出し入れすることができる。
【００１６】
水槽３００の背面にはモータ３１１（図３、図８参照）が固定されている。モータ３１１は、駆動軸によって回転槽３０２と接続されており、モータ３１１の駆動力により回転槽３０２は回転する。モータ３１１には回転センサ３１６（図３参照）が設けられており、この回転センサ３１６によって回転槽３０２の回転数を検出する。また、モータ３１１に流れる電流を検知するモータ電流検知装置３１４が設けられており、このモータ電流検知装置３１４によりモータ３１１への負荷が検出される。
【００１７】
本実施形態のドラム式洗濯乾燥機は、入口と出口が水槽３００に接続された循環風路３０７（図２参照）を備える。循環風路３０７は、乾燥運転に供するものであり、ファン、ファンモータ３０９及びヒートポンプ３１２（図３参照）を備える。前記ファンはファンモータ３０９に接続されており、ヒートポンプ３１２によって除湿及び加熱された空気を水槽３００内へと送り込む。送り込まれた空気は、水槽３００内において回転槽３０２に投入された衣類から水分を受け取り、湿った空気となって再度循環風路３０７に導入される。循環風路３０７に導入された空気は、ヒートポンプ３１２によって除湿及び加熱され、再度前記ファンによって水槽３００内へ送られる。なお、循環風路３０７には温度センサ３１５（図３参照）が設けられており、温度センサ３１５により循環風路３０７を流れる空気の温度が測定される。
【００１８】
図３を参照しながら、本実施形態における制御系について説明する。図３は、制御装置３１７を中心として示す制御系の機能ブロック図である。制御装置３１７は、マイクロコンピュータを主体に構成されたものであり、電源入ボタン２０１、電源切ボタン２０２、静電容量検出部２１９、モータ電流検知装置３１４、温度センサ３１５、回転センサ３１６等からの入力に応じて、駆動回路３１８〜３２３を介してファンモータ３０９、循環ポンプ３１０、モータ３１１、ヒートポンプ３１２、給水弁３２５及び排水弁３２６を駆動して運転を行い、さらに、通電回路２２４，２２６を介してＬＥＤ２１４及びブザー３１３に通電して使用者へ種々の報知を行う。特に、制御装置３１７は、駆動回路２２５を介して振動手段２０９の制御を行い、使用者による前記操作部２３８へのタッチを判定する制御部として機能する。
【００１９】
主に図４から図８を参照しながら、本実施形態における操作パネル２００の構成について説明する。本実施形態の操作パネル２００は、基板ケース２２９、基板２０８、ＬＥＤホルダ２０７、押圧部材２１５、クッション部材２０６、電極シート２０５、押ボタンカバー２３３、パネルカバー２０４及び振動手段２０９を備えている。操作パネル２００の各部の説明においても、操作パネル２００が外箱１００に取り付けられた状態における、外箱１前面側を「手前」、外箱１背面側を「奥」と表すものとし、「左」、「右」も、外箱１００正面から見た左右を表すものとする。また、「上」、「下」も、操作パネル２００が外箱１００に取り付けられた状態における、鉛直方向に関する上下を表すものとする。なお、このとき、「表」、「裏」はそれぞれ「上」、「下」と一致する。
【００２０】
基板ケース２２９は、基板２０８、ＬＥＤ２１４等を保持するケース状部材である。基板ケース２２９の右端手前側には、押ボタンスイッチ装置２０１ｃが設けられている。押ボタンスイッチ装置２０１ｃは、電源入ボタン２０１のスイッチング機能を担う装置であり、上部の突起を下方に押されると、本体の主電源をオンにする。基板ケース２２９は、基板ケース２２９の外周部に複数設けられたネジ穴２３４（図５参照）にネジを貫通させ、そのネジをパネルカバー２０４下面に設けられたネジ止め部（図示せず）に締めこむことにより、パネルカバー２０４に取り付けられている。
【００２１】
基板２０８は、左右方向に長い長方形に構成され、その上面に複数のＬＥＤ２１４が設けられており、パネルカバー２０４に向けて投光可能になっている。また、基板２０８は、ＬＥＤ２１４に通電するための通電回路２２４（図３参照）や、前記操作部２３８（静電容量検出部２１９）の信号処理回路２２３（図３参照）、振動手段２０９に通電するための駆動回路２２５、ブザー３１３、制御装置３１７等（図３参照）も備えている。さらに、基板２０８上面の右手前には、押ボタンスイッチ装置２０２ｃが設けられている。押ボタンスイッチ装置２０２ｃは、電源切ボタン２０２のスイッチング機能を担う装置であり、上部の突起を下方に押されると、本体の主電源をオフにする。
【００２２】
基板２０８は、第二接続部２１２（図４、図５、図６参照）、第二電線２２１（図８参照）及び第三接続部２２２（図８参照）を備えている。
第二接続部２１２は、基板２０８上面に設けられたコネクタであり、振動手段２０９への通電に供する。第二接続部２１２は、第一電線２１０の一端に設けられた第一接続部２１１と嵌合して接続されている。第一電線２１０の他端は、振動手段２０９に接続されており、制御装置３１７による制御信号は、駆動回路２２５、第一電線２１０を通じて振動手段２０９へ印加される。
【００２３】
第二電線２２１は、駆動回路３１８〜３２３への通電のためのケーブルである。第二電線２２１の、基板２０８と反対側の端部には第三接続部２２２が設けられている。図８に示すように、第三接続部２２２は、第三電線３２８の一端である第四接続部３２７に嵌合して接続されている。第三電線３２８の他端は、外箱１００の底部に設けられたパワーユニット３２９に接続されている。制御装置３１７による制御信号は、第二電線２２１及び第三電線３２８を通じて前記パワーユニット３２９内の駆動回路３１８〜３２３へと伝達される。
【００２４】
なお、本実施形態では、制御装置３１７を操作パネル２００内に設けているが、その一部又は全部をパワーユニット３２９内に設けても良い。
基板２０８は、基板ケース２２９に収容された状態で、ポッティング材２３７（図６参照）によって上下面が覆われて固められている。ポッティング材２３７の上面からは、ＬＥＤ２１４の発光部や第二接続部２１２の上端部が突出している。
【００２５】
ＬＥＤホルダ２０７は、光の遮蔽性が高く固いプラスチック部材であり、基板２０８の上に被せて取り付けられている。ＬＥＤホルダ２０７には、上下に貫通する複数の開口部２１８が設けられている。また、開口部２１８の周縁下部は、椀状に下方に突出して遮光部２４８（図６参照）を形成しており、さらに、遮光部２４８の底部には孔部２４９が設けられており、ＬＥＤ２１４が孔部２４９を通じて開口部２１８を臨んでいる。ＬＥＤホルダ２０７は、ＬＥＤ２１４から発せられた光を、遮光部２４８によって漏れが無いようにしながら、開口部２１８を通じて上方の前記表示部に向けて案内する。即ち、ＬＥＤホルダ２０７は、ＬＥＤ２１４から発せられた光をパネルカバー２０４の所定部分へ案内する光案内部材として機能する。また、開口部２１８のうち操作部２３８の下方に配されるものの周縁部には、押圧部材２１５を配置するための凹部２１６が設けられている。
【００２６】
ＬＥＤホルダ２０７裏面側には、ツメを有する突起部（図示せず）が設けられており、基板２０８を表裏に貫通する孔部（図示せず）に挿入し前記ツメを基板２０８に引っ掛けることにより、ＬＥＤホルダ２０７は基板２０８に固定されている。
【００２７】
また、ＬＥＤホルダ２０７及び基板２０８の右側には、上下に連なって貫通する孔部２３０（図５参照）が設けられており、一方、基板ケース２２９には、ＬＥＤホルダ２０７及び基板２０８が取り付けられた際に孔部２３０と連なる位置にネジ止め部（図示せず）が設けられている。このネジ止め部は、基板ケース２２９の裏側に、基板ケース２２９をなす樹脂が突出して形成された円柱状突起の中心に、表側よりネジ穴が設けられて構成されている。図示しないが、左側にも同様の孔部及びネジ止め部が設けられており、これら二箇所をネジ止めすることにより、ＬＥＤホルダ２０７、基板２０８及び基板ケース２２９が一体とされている。
【００２８】
押圧部材２１５は、透明な樹脂によって形成された部材である。押圧部材２１５は、凹部２１６に嵌めこまれて配置され、上面がＬＥＤホルダ２０７の上面と面一になるようになっている。
【００２９】
クッション部材２０６は、透明ゴムのシートによって形成されており、ＬＥＤホルダ２０７及び前記押圧部材２１５の上面に貼付されている。
電極シート２０５は、一部に静電容量検出部２１９を備えたＰＥＴフィルムである。静電容量検出部２１９は、操作部２３８の直下となる位置に形成された電極である。使用者が操作部２３８へ接触すると、静電容量検出部２１９の静電容量が変化するが、信号処理回路２２３がこの静電容量変化をディジタルデータへと変換して制御装置３１７へと伝達する。制御装置３１７は、前記ディジタルデータにもとづいて使用者の操作部２３８への接触の有無を判定する。なお、図示しないが、電極シート２０５は図示しないコネクタを介して基板２０８に接続されている。
【００３０】
押ボタンカバー２３３は、押ボタンスイッチ装置２０１ｃ及び２０２ｃの上方を覆う部材である。押ボタンカバー２３３には、押ボタン中間機構２０１ｂ及び２０２ｂが設けられており、上方からの押圧をそれぞれ押ボタンスイッチ装置２０１ｃ及び２０２ｃに伝達する。
【００３１】
押ボタンカバー２３３の外周部の右下部には、矩形状の穴を有する引掛け枠２３６（図５参照）が設けられており、この引掛け枠２３６が、基板ケース２２９の外周部の右手前に設けられたツメ２３５に引っ掛けられている。また、図示しないが、押ボタンカバー２３３の外周部の左下部には、ツメを有する突起部が下方に突出して設けられている。この突起部は、基板２０８に設けられた孔部（図示せず）に挿入され、さらに前記ツメを前記孔部の縁に引っ掛けられている。押ボタンカバー２３３は、この二箇所が引っ掛かることによって、基板２０８及び基板ケース２２９に固定されている。
【００３２】
パネルカバー２０４は、操作パネル２００の最表面をなす板状部材であり、クッション部材２０６及び電極シート２０５を覆うように外箱１００に固定されている。パネルカバー２０４は、電極シート２０５及びクッション部材２０６と弱く当接している。
【００３３】
図７に示すように、パネルカバー２０４は、上面側から順に印刷シート２３９、透明樹脂層２４０、白色塗装層２４１及び銘板フィルム２４２が重なって接合された多層構造となっている。印刷シート２３９は透明なＰＥＴシートに印刷がなされたものであり、例えば、後述の押ボタン部２０１ａ、２０２ａが印刷されている。透明樹脂層２４０は、例えばＡＢＳ樹脂から、パネルカバー２０４全体としての強度を確保できる厚みで形成されている。銘板フィルム２４２は、詳しく図示はしないが、透明フィルムの表面に黒色の遮光部２４４及び表示用透光部２４３を設けて構成されている。そのうち表示用透光部２４３は、各表示部に表示するマークや文字に対応して（透明に抜かれた状態で）形成されている。白色塗装層２４１は、白色の塗料によって形成された層である。白色塗装層２４１は、曇り度が５％〜３０％とされ、基板２０８上面に設けられたＬＥＤ２１４の非点灯時には、一様に白く見えるが、ＬＥＤ２１４の点灯時には、銘板フィルム２４２に設けられた表示用透光部２４３の直上部分のみが光って文字や図形が浮かび上がるようになっている。即ち、パネルカバー２０４のうち、表示用透光部２４３が設けられた部分が表示部として機能する。
【００３４】
パネルカバー２０４のうち、電源入ボタン２０１及び電源切ボタン２０２を構成する部分（押ボタン部２０１ａ及び２０２ａ）は、透明樹脂層２４０、白色塗装層２４１及び銘板フィルムが除かれて柔軟性が確保されている。これによって、押ボタン部２０１ａ及び２０２ａを押すと、下方に配された押ボタン中間機構２０１ｂ及び２０２ｂを介して、押ボタンスイッチ装置２０１ｃ及び２０２ｃを動作させることができる。
【００３５】
パネルカバー２０４の下面には、複数のネジ止め部（図示せず）が設けられている。これらは、透明樹脂層２４０が下方に突出して形成された円柱状突起部の中心にネジ穴が設けられて構成されたものであり、基板ケース２２９の周縁部に複数設けられたネジ穴２３４と上下に連なる位置に設けられている。ネジ穴２３４にネジを貫通させ、そのネジを前記ネジ止め部に締めこむことにより、基板ケース２２９がパネルカバー２０４に取り付けられている。
【００３６】
図６に示すように、振動手段２０９は、モータとその駆動軸に設けられた偏心した重りを中心に構成されており、駆動回路２２５からの電圧の印加に応じて振動を発生させる。振動手段２０９は、パネルカバー２０４に設けられたネジ止め部２２７に、ネジで固定されている。ネジ止め部２２７は、透明樹脂層２４０が下方に突出して形成された円柱状突起部の中心にネジ穴が設けられて構成されている。振動手段２０９は、クッション部材２０６の開口部２４６（図４参照）、及び、ＬＥＤホルダ２０７の開口部２１７（図４参照）によって空けられたスペース（収容部２１３（図６参照））に収容されるとともに、ネジ止め部２２７にネジ止めされることによってパネルカバー２０４に直接固定されている。
【００３７】
操作パネル２００の組み立て手順について説明する。操作パネル２００は、以下の工程１から工程１２によって、組み立て及び取り付けがなされる。
工程１）ＬＥＤホルダ２０７と基板２０８とを一体化する。
【００３８】
工程２）工程１で一体化されたＬＥＤホルダ２０７及び基板２０８を、基板ケース２２９に取り付ける。
工程３）押ボタンカバー２３３を、工程２で一体となったＬＥＤホルダ２０７、基板２０８及び基板ケース２２９に取り付ける。
【００３９】
工程４）基板２０８の上面及び下面にポッティング材２３７を注入し硬化させる。
工程５）ＬＥＤホルダ２０７の凹部２１６に押圧部材２１５を嵌めこむ。
工程６）クッション部材２０６を、ＬＥＤホルダ２０７及び押圧部材２１５の上面に貼付する。
【００４０】
工程７）電極シート２０５を、クッション部材２０６の上面の所定位置に貼付し、コネクタ（図示せず）を介して基板２０８に接続する。
工程８）振動手段２０９をパネルカバー２０４のネジ止め部２２７にネジ止めする。
【００４１】
工程９）第一接続部２１１と第二接続部２１２とを嵌合し接続する。
工程１０）第一電線２１０を収容部２１３に収容しながら、一体化されたＬＥＤホルダ２０７、基板２０８、基板ケース２２９及び押ボタンカバー２３３をパネルカバー２０４に取り付ける。
【００４２】
工程１１）第三接続部２２２と第四接続部３２７を嵌合し接続する。
工程１２）パネルカバー２０４を外箱１００の上面手前側へ取り付ける。
本実施形態のような、ＬＥＤで表示部を照らす操作パネルにおいては、ＬＥＤホルダが銘板フィルムから遠いと、照らすべき表示部だけでなく、隣の表示部も照らされてしまう。本実施形態によれば、ＬＥＤホルダ２０７及び押圧部材２１５の上面にクッション部材２０６を貼付したことにより、パネルカバー２０４がＬＥＤホルダ２０７や押圧部材２１５に接触して振動しても騒音が出にくい。そのため、ＬＥＤホルダ２０７をパネルカバー２０４に近づけることができる。
【００４３】
また、本実施形態のような、ＬＥＤで表示部を照らし、操作部への使用者の接触をタッチセンサーで検知する操作パネルは、各表示部が単一の表示しか表示することができないため、液晶ディスプレイを用いたものに比べて大きくなってしまう傾向がある。本実施形態によれば、パネルカバー２０４に振動手段２０９を固定しているので、このような操作パネル２００においても、使用者に効果的に振動を伝えることができる。
【００４４】
さらに、電極シート２０５は、パネルカバー２０４下面にではなく、クッション部材２０６上面に貼付しているので、電極シート２０５とＬＥＤホルダ２０７との位置合わせが容易である。
【００４５】
なお、本実施形態において、第二接続部２１２は、基板２０８に固定されていなくてもよく、電気的に基板２０８に接続されていればよい。
また、振動手段２０９は、ネジ止めでなく他の方法（例えば溶着）によってパネルカバー２０４に固定しても良い。
【００４６】
（第二の実施形態）
第二の実施形態について、第一の実施形態と異なる部分を中心に説明する。
本実施形態の操作パネル２００は、第一の実施形態と同様に、基板ケース２２９、基板２０８、ＬＥＤホルダ２０７、押圧部材２１５、クッション部材２０６、電極シート２０５、押ボタンカバー２３３、パネルカバー２０４及び振動手段２０９を備えている。
【００４７】
ただし、本実施形態の操作パネル２００は、第一の実施形態とは異なり、振動手段２０９非通電時には、パネルカバー２０４がクッション部材２０６からわずかに離隔している。
【００４８】
本実施形態によれば、操作パネル２００において、パネルカバー２０４をクッション部材２０６から離隔させることにより、操作パネル２００の振動の減衰を小さくでき、より効果的に使用者に振動を伝えることができるとともに、振動手段２０９通電時において、振動によってパネルカバー２０４がＬＥＤホルダ２０７に接触しても、騒音を抑制することができる。
【００４９】
（第三の実施形態）
第三の実施形態について、主に図９から図１１を参照しながら、第一の実施形態と異なる部分を中心に説明する。
【００５０】
本実施形態の操作パネル２００は、いわゆる静電容量方式の液晶タッチパネルである。本実施形態の操作パネル２００は、投影型及び表面型のうちどちらの方式のタッチパネルでもよい。図１０は、操作パネル２００の縦断側面図の一部である。
【００５１】
図１０に示すように、本実施形態の操作パネル２００は、上面側から順にパネルカバー２０４、電極シート２０５、クッション部材２０６、液晶ディスプレイ２４４及び支持部材２４５を備える。
【００５２】
図１１に示すように、パネルカバー２０４は、下方に液晶ディスプレイ２４４が配された部分が、印刷シート２３９及び透明樹脂層２４０からなり、白色塗装層２４１及び銘板フィルム２４２が除かれている。これによって形成された透明窓を通じて、使用者は液晶ディスプレイ２４４による表示を見ることができる。
【００５３】
電極シート２０５は、二枚の透明電極フィルムを備えて構成されており、使用者がタッチした場所を検知する。なお、図示しないが、電極シート２０５は、基板２０８に接続されている。
【００５４】
液晶ディスプレイ２４４は、使用者に対する種々の表示を映し出す。なお、図示しないが、液晶ディスプレイ２４４は、電線及びコネクタを介して基板２０８に接続されており、基板２０８より電力及び制御信号を受け取っている。
【００５５】
本実施形態においては、液晶ディスプレイ２４４の表示面の上方全体にわたって、電極シート２０５が配されているため、パネルカバー２０４のうち液晶ディスプレイ２４４の表示面が存在する部分全体が表示部兼操作部として機能する。
【００５６】
支持部材２４５は、液晶ディスプレイ２４４を支持し、図示しないツメを引っ掛けて液晶ディスプレイ２４４を固定する。また、支持部材２４５の下端は、第一の実施形態におけるＬＥＤホルダ２０７と同様に、ツメを有する突起（図示せず）によって基板２０８に固定されている。
【００５７】
本実施形態では、クッション部材２０６は、液晶ディスプレイ２４４及び支持部材２４５の上面に貼付されている。また、電極シート２０５は、クッション部材２０６の上面に貼付されている。さらに、電極シート２０５の上からパネルカバー２０４が当接して被さっている。
【００５８】
本実施形態における操作パネルは、以下の工程１から工程１２によって組み立てられる。
工程１）液晶ディスプレイ支持部材２４５と基板２０８とを一体化する。
【００５９】
工程２）工程１で一体化された液晶ディスプレイ支持部材２４５及び基板２０８を、基板ケース２２９に取り付ける。
工程３）押ボタンカバー２３３を、工程２で一体となった液晶ディスプレイ支持部材２４５、基板２０８及び基板ケース２２９に取り付ける。
【００６０】
工程４）基板２０８の上面及び下面にポッティング材２３７を注入し硬化させる。
工程５）液晶ディスプレイ支持部材２４５に液晶ディスプレイ２４４を取り付ける。
工程６）クッション部材２０６を、液晶ディスプレイ２４４及び支持部材２４５の上面に貼付する。
【００６１】
工程７）電極シート２０５を、クッション部材２０６の上面の所定位置に貼付する。
工程８）振動手段２０９をパネルカバー２０４のネジ止め部２２７にネジ止めする。
工程９）第一接続部２１１と第二接続部２１２とを嵌合し接続する。
【００６２】
工程１０）第一電線２１０を収容部２１３に収容しながら、一体化された液晶ディスプレイ２４４、支持部材２４５、基板２０８、基板ケース２２９及び押ボタンカバー２３３をパネルカバー２０４に取り付ける。
【００６３】
工程１１）第三接続部２２２と第四接続部３２７を嵌合し接続する。
工程１２）パネルカバー２０４を外箱１００の上面手前側へ取り付ける。
液晶タッチパネルにおいては、使用者がタッチする操作面が液晶ディスプレイの表示面から遠いと、操作性が悪くなってしまう。本実施形態によれば、液晶ディスプレイ２４４及び支持部材２４５の上面にクッション部材２０６を貼付したことにより、パネルカバー２０４が液晶ディスプレイ２４４や支持部材２４５に接触して振動しても騒音が出にくい。そのため、液晶ディスプレイ２４４をパネルカバー２０４に近づけることができる。
【００６４】
以上説明した少なくとも一つの実施形態によれば、振動手段をパネルカバーに固定したことにより、振動手段と操作面であるパネルカバーとが一体として振動するため、振動を使用者に効果的に伝えることができる。
【００６５】
また、振動手段に通電に供する第一電線を接続し、その第一電線の他端に第一接続部を設け、さらに、その第一接続部を基板に電気的に接続された第二接続部と接続する構成としたことで、組立の際に、主要な部材を基板側に設けた後に、パネルカバーと基板を一体にでき、作業工程が効率的であるのと同時に、高度な位置合わせの精度が要求されない。したがって、製造が容易である。
【００６６】
また、電極シートをクッション部材よりも表面側に設けたことにより、騒音を防止しつつ、電極シートをパネルカバーに近づけて操作部の感度及び精度を高くすることができる。
【００６７】
本発明のいくつかの実施形態について説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【００６８】
図面中、２００は操作パネル、２０４はパネルカバー、２０５は電極シート、２０６はクッション部材、２０７はＬＥＤホルダ（光案内部材）、２０８は基板、２０９は振動手段、２１０は第一電線、２１１は第一接続部、２１２は第二接続部、２１４はＬＥＤ、２１９は静電容量検出部、２３８は操作部（表示部を兼ねる）、２３９は印刷シート、２４０は透明樹脂層、２４１は白色塗装層、２４２は銘板フィルム、２４４は液晶ディスプレイ、３１７は制御装置（制御部）を示す。
【図１】
2016144521.tif 000003
【図２】
2016144521.tif 000004
【図３】
2016144521.tif 000005
【図４】
2016144521.tif 000006
【図５】
2016144521.tif 000007
【図６】
2016144521.tif 000008
【図７】
2016144521.tif 000009
【図８】
2016144521.tif 000010
【図９】
2016144521.tif 000011
【図１０】
2016144521.tif 000012
【図１１】
2016144521.tif 000013